(57)【要約】【課題】  本発明に課題は、収容ケースの荷重が大きくなっても係止が解除し難く、荷重が大きくなるほど強く係止する係止部を有する収容ケースを提供することである。【解決手段】  本発明は、開閉自在の蓋部と、被収容物を収容する容器部と、蓋部と容器部を係止する係止部を有し、係止部は蓋部に形成した係止部材と容器部の側面に形成した係止部材とが当接して係止するものであって、容器部の荷重によって容器部の側面に形成した係止部材が蓋部に形成した係止部材を押圧して、蓋部に形成した係止部材が前記側面の方向に加圧されるように、蓋部に形成した係止部材の当接部を傾斜させたことを特徴とする収容ケースである。【選択図】        図５
2006306429.tif 000002
【特許請求の範囲】
【請求項１】
開閉自在の蓋部と、被収容物を収容する容器部と、蓋部と容器部を係止する係止部を有し、係止部は蓋部に形成した係止部材と容器部の側面に形成した係止部材とが当接して係止するものであって、蓋部に形成した係止部材が容器部の荷重によって前記側面の方向に加圧されるようにしたことを特徴とする収容ケース。
【請求項２】
開閉自在の蓋部と、被収容物を収容する容器部と、蓋部と容器部を係止する係止部を有し、係止部は蓋部に形成した係止部材と容器部の側面に形成した係止部材とが当接して係止するものであって、容器部の荷重によって容器部の側面に形成した係止部材が蓋部に形成した係止部材を押圧して、蓋部に形成した係止部材が前記側面の方向に加圧されるように、蓋部に形成した係止部材の当接部を傾斜させたことを特徴とする収容ケース。
【発明の詳細な説明】
【技術分野】
【０００１】
本発明は、係止部を有する収容ケースに関する。
【背景技術】
【０００２】
従来の収容ケースとして、図７、８に示すような係止部を有するものが存在する。この係止部は、突片４に孔を形成し、その孔に凸部５を挿入して係止するものである。
【特許文献１】実公昭５３−１１９１９号公報
【発明の開示】
【発明が解決しようとする課題】
【０００３】
しかし、この係止部は、収容ケースの握部を掴み、持ち上げて運ぶ際に、係止が解除して外れる恐れがあり、道具等の被収容物を収容して収容ケースの荷重が大きくなると、よりその可能性は高くなる。
【０００４】
そこで、本発明に目的は、収容ケースの荷重が大きくなっても係止が解除し難く、荷重が大きくなるほど強く係止する係止部を有する収容ケースを提供することである。
【課題を解決するための手段】
【０００５】
本発明は、開閉自在の蓋部と、被収容物を収容する容器部と、蓋部と容器部を係止する係止部を有し、係止部は蓋部に形成した係止部材と容器部の側面に形成した係止部材とが当接して係止するものであって、蓋部に形成した係止部材が、容器部の荷重によって前記側面の方向に加圧されるようにしたことを特徴とする収容ケースである。
【０００６】
また、本発明は、開閉自在の蓋部と、被収容物を収容する容器部と、蓋部と容器部を係止する係止部を有し、係止部は蓋部に形成した係止部材と容器部の側面に形成した係止部材とが当接して係止するものであって、容器部の荷重によって容器部の側面に形成した係止部材が蓋部に形成した係止部材を押圧して、蓋部に形成した係止部材が前記側面の方向に加圧されるように、蓋部に形成した係止部材の当接部を傾斜させたことを特徴とする収容ケースである。
【発明の効果】
【０００７】
本発明の収納ケースによれば、蓋部と容器部を係止する係止部は、容器部の荷重（容器の荷重と被収容物の荷重）によって、蓋部に形成した係止部材が容器部の側面の方向、すなわち、係止部材を形成した側面の方向に加圧される。荷重が大きくなるほど強く係止される。したがって、本発明は、収容ケースを持ち上げたとき、係止部が解除され難く、外れる危険性が少ないという効果を奏する。
【発明を実施するための最良の形態】
【０００８】
以下、本発明を実施するための最良の形態を、実施例として示す各図と共に説明する。
【実施例】
【０００９】
図１ないし図６は本発明の収容ケースの実施例である。図１は本実施例の蓋部１を閉じた状態の斜視図、図２は本実施例の蓋部１を開けた状態の斜視図、図３は図１の一部分解斜視図、図４は図１のＡ―Ａ断面図、図５は図４から本実施例を持ち上げた状態を示す状態図、図６は係止部の一部拡大断面図である。
【００１０】
まず、本実施例の収容ケースＢの概要を説明する。
【００１１】
収容ケースＢは、蓋部１と容器部２から構成される。蓋部１と容器部２は蝶番部３によって連結される。蓋部１と容器部２を連結する蝶番部３によって、蓋部１は容器部２に対して回動自在に軸支され、蓋部１は開閉自在に構成される。
【００１２】
なお、この蓋部１と容器部２は弾性変形する材料で成形されるものである。
以下、収容ケースＢを構成する蓋部１及び容器部２の各要素について説明する。
【００１３】
蓋部１は上面の周囲に側面を形成して構成される。
蓋部１は握部１１を有する。握部１１は蓋部１の上面の中央部に設けられる。この握部１１は収容ケースＢを持ち上げるときに使用するものである。握部１１は、蓋部１に対して軸支され回動自在に取り付けられており、収容ケースＢを持ち上げるときには、図３等のように蓋部１に対して垂直に起立する。また、収容ケースＢを載置するときには、図１等のように蓋部１の上面に設けた扁平な凹部１２に収まり、蓋部１の上面は握部１１が突出しないほぼ平坦な状態になる。
【００１４】
蓋部１はフラップ部１３を有する。フラップ部１３は蓋部１の周縁の長辺中央部に形成される。このフラップ部１３は、蓋部１に一体的に形成された板体である。フラップ部１３は傾斜部と下垂部を有し（図４等参照）、傾斜部が蓋部１の周縁端から外方向に延び、下垂部が下方向に延びるように形成される。このフラップ部１３の内面には係止部材１４が形成される。
【００１５】
係止部材１４は容器部２の係止部材２４と係止部を構成する。この係止部材１４は係止部材２４に係止することにより、蓋部１と容器部２を係止するものである。係止部材１４はフラップ部１３の内面から突出する突起である。
【００１６】
係止部材１４は当接部１４ａを有する。この当接部１４ａは容器部２の係止部材２４の当接部２４ａと当接するものである。当接部１４ａは傾斜面で構成される。この傾斜面は基端側が低く、先端側が高くなる傾斜面である。容器部２との関係では、容器部２の方向、すなわち、係止部材２４を形成した側面の方向に向って高くなる傾斜面である。
【００１７】
また、係止部材１４はスライド部１４ｂを有する。このスライド部１４ｂは、蓋部１を閉じるとき、容器部２の切り欠き部２４ｂに沿ってスライドするものである。スライド部１４ｂは当接部１４ａの下方に形成される。スライド部１４ｂは、フラップ部１３の下端から当接部１４ａの下端にかけて形成される。スライド部１４ｂは当接部１４ａの先端に向いて傾斜する傾斜片からなり、蓋部１を閉じるときに閉じ易くするものである。
【００１８】
蓋部１は引掛け部１５、１５´を有する。引掛け部１５、１５´はフラップ部１３の両側に設けられる。この引掛け部１５、１５´は、容器部２に設けた補助止め具２１、２１´が収まるように蓋部１の周縁を切り欠いたもので、補助止め具２１、２１´に形成された爪部２１ａが引掛かる段部１５ａ、１５ａ´を有する。
【００１９】
蓋部１の裏面には溝部１６が形成される。この溝部１６は、容器部２の開口周縁に立設した立設片２２が嵌り込むものである。溝部１６は、蓋部１を閉めたときに蓋部１と容器部２の位置関係を制御するものである。溝１６は、蓋部１を構成する側面の内面と、蓋部１の裏面に形成された立設片１６ａによって構成される。
【００２０】
次に容器部２について説明する。
【００２１】
容器部２は底面と側面で構成される。即ち、矩形状の底面の周囲に４つの側面を形成して構成されるものである。
【００２２】
容器部２は係止部材２４を有する。係止部材２４は係止部材１４と係止部を構成し、蓋部１と容器部２を係止するものである。係止部材２４は容器部２に一体的に形成されたものであり、容器部２の側面から突出するように形成される。
【００２３】
この係止部材２４は、当接部２４ａ、上板部２４ｂ、奥板部２４ｃを有する。当接部２４ａは下方に向いて突出する板体である。また、奥板部２４ｃは当接部２４ａに対して平列する板体である。
【００２４】
当接部２４ａの先端が係止部材１４の当接部１４ａに当接し、蓋部１と容器部２を係止する。
【００２５】
握部１１を把持して収容ケースＢを持ち上げると、容器部２の荷重により、当接部２４ａの先端が当接部１４ａに当接して係止する。係止した当接部２４ａは、容器部２の荷重により、当接部１４ａの傾斜面を下方向に押圧する。当接部２４ａの先端が当接部１４ａの傾斜面を押圧すると、当接部１４ａに働く押圧力は、傾斜面によって容器部２の側面の方向に働く力として作用し、係止部材１４を容器部２の側面に押圧する。すなわち、係止部材１４は、当接部１４ａの基端から先端の方向に加圧される。
【００２６】
また、係止部材２４は切り欠き部２４ｄを有する。切り欠き部２４ｄは、係止部材２４の表面を、傾斜面が形成されるように、切り欠いたものである。この切り欠き部２４ｄは、係止部材１４のスライド部１４ｂをスライドさせて、係止部材１４を図５の位置に案内するものである。
【００２７】
すなわち、蓋部１を閉じるとき、係止部材１４が係止部材２４に接触すると、係止部材１４と一体に形成されたフラップ部１３が外方向に弾性変形する。蓋部１を閉じる操作が進行し、係止部材１４が係止部材２４に接触しない位置になると、前記外方向への変形が元に戻り、係止部材１４が係止部材２４の下側に位置する（図４）。この過程において、係止部材１４が係止部材２４に接触するとき、係止部材１４のスライド部１４ｂを外方向に案内するように切り欠き部２４ｄは傾斜面で構成されている。
【００２８】
また、係止部材２４は、当接部２４ａ、上板部２４ｂ、奥板部２４ｃによって、下方に開口する溝２５を有する。容器部２の荷重により、当接部２４ａと当接部１４ａが当接すると、当接部１４ａの先端が溝２５内方に位置し、当接部１４ａの先端が溝２５内に収まるように構成されている。
【００２９】
容器部２は補助止め具２１、２１´を有する。補助止め具２１、２１´は係止部材２４の両側に設けられる。補助止め具２１、２１´は容器部２に対して軸支されて、回動自在に設けられる。また、補助止め具２１、２１´の先端には爪２１ａ、２１ａ´が形成される。この爪２１ａ、２１ａ´は、蓋部１の引掛け部１５、１５´の段部１５ａ、１５ａ´に引掛けるものである。
【００３０】
容器部２の開口周縁には上方に向いて立設する立設片２２が形成される。立設片２２は蓋部１に形成された溝部１６に嵌り込むものである。
【００３１】
容器部２の開口周縁には一対の紐掛け部２３、２３´が形成される。この紐掛け部２３、２３´には矩形状の紐掛け孔が形成されていることから、肩掛け紐（ベルト）を通して使用することができる。また、紐掛け部２３、２３´には、併せて、工具等を差し込んで引っ掛ける引掛孔も形成されている。
【００３２】
本実施例の収容ケースを持ち上げる場合について説明する。
【００３３】
まず、図４に載置状態を示す。
【００３４】
載置状態では係止部材１４と係止部材２４は当接していない（図４、６）。このとき、当接部１４ａの先端から当接部２４ａの先端までの距離（β）は約０．７８ｍｍである。また、当接部１４ａの先端から当接部２４ａの外側面までの距離（α）は約４．５mmである。また、係止部材１４の最大垂直幅（γ）は約４．２ｍｍである。図６のとおり、係止部材２４の当接部２４ａは当接部１４ａの上方に位置しており、具体的には、当接面１４ａの水平幅のほぼ中央に位置している。なお、本実施例では、図４に示すとおり、容器部１の内部に収納プレートＰを取り付けることもできる。
【００３５】
次に、図５に収容ケースＢを持ち上げた状態を示す。
【００３６】
収容ケースＢを持ち上げると、容器部２の荷重によって容器部２に形成された係止部材２４の当接部２４ａが、係止部材１４の当接部１４ａを押圧し、押圧された当接部１４ａの傾斜面の作用により、係止部材１４が容器部２の側面方向に加圧される。
【００３７】
加圧の大きさは荷重に比例し、荷重がかかるにつれて、図５の状態のように、係止部材１４が容器の側面の方向に移動し、係止部材２４と接合するようになる。すなわち、係止部材１４の当接部１４ａが、係止部材２４の当接部２４ａの方向に移動し、当接部１４ａの基端と当接部２４ａの先端が接合するようになる。言い換えると、係止部材１４が係止部材２４に加圧された結果、当接部１４ａの基端に当接部２４が位置することから、より深く係止するものである。
【００３８】
このような収容ケースであると、蓋部と容器部を係止する係止部において、蓋部の係止部材が、容器部の荷重（容器と被収容物による荷重）によって、容器の側面の方向（係止部材を形成した側面の方向）に加圧されるので、荷重が大きくなるほど強く係止される。したがって、収容ケースを持ち上げたとき、係止部が解除され難く、外れる危険性が少ないという効果を奏する。
【００３９】
なお、本実施例の係止部は、係止部材を蓋部及び容器部の外側に設けているが、内側に設けることもできる。
【００４０】
また、この実施例は蝶番部を設けた場合を示したが、蝶番部を設けず、二組の係止部を対向されて形成することもできる。
【００４１】
また、係止部の数に制限はなく、例えば、係止部を並列させることもできる。
【００４２】
また、この実施例の載置状態では、係止部材１４と係止部材２４は当接していないが（図６）、当接しても構わない。
【図面の簡単な説明】
【００４３】
【図１】本発明の実施例の斜視図（閉状態）。
【図２】本発明の実施例の斜視図（開状態）。
【図３】本発明の実施例の一部分解斜視図。
【図４】本発明の実施例のＡ―Ａ断面図（図１）。
【図５】図４において持ち上げた状態を示す断面図。
【図６】本発明の実施例の係止部を示す拡大図。
【図７】従来の収容ケースの斜視図。
【図８】従来の収容ケースの一部拡大断面図。
【符号の説明】
【００４４】
１      蓋部
１１    握部
１２    凹部
１３    フラップ部
１４    係止部材
１４ａ  当接部
１４ｂ  スライド部
１５    引掛け部
１６    溝部
２      容器部
２１    補助止め具
２２    立設片
２４    係止部材
２４ａ  当接部
【図１】
2006306429.tif 000003
【図２】
2006306429.tif 000004
【図３】
2006306429.tif 000005
【図４】
2006306429.tif 000006
【図５】
2006306429.tif 000007
【図６】
2006306429.tif 000008
【図７】
2006306429.tif 000009
【図８】
2006306429.tif 000010